(57)【要約】【課題】ボードを持ち上げる高さを簡易に調整することができるボード昇降装置を提供する。【解決手段】ボード昇降装置１は、ボード２を保持する保持部１０と、保持部１０を支持し、上下方向に移動可能な可動部Ｍと、可動部Ｍから下方に延出する下方延出部材３０と、下方延出部材３０に取り付けられるストッパ部材４０と、ストッパ部材４０の上方に設けられる規制部材５０と、を備える。規制部材５０は、下方延出部材３０の上端とストッパ部材４０との間に配され、可動部Ｍと共に移動するストッパ部材４０に当接することで可動部Ｍの上方への移動を規制する。そして、下方延出部材３０に対するストッパ部材４０の取り付け位置が可変である。【選択図】図１
2019116722.tif 000002
【特許請求の範囲】
【請求項１】
ボードを保持する保持部と、
前記保持部を支持し、上下方向に移動可能な可動部と、
前記可動部から下方に延出する下方延出部材と、
前記下方延出部材に取り付けられるストッパ部材と、
前記ストッパ部材の上方に設けられる規制部材と、を備え、
前記規制部材は、前記下方延出部材の上端と前記ストッパ部材との間に配され、前記可動部と共に移動する前記ストッパ部材に当接することで前記可動部の上方への移動を規制し、
前記下方延出部材に対する前記ストッパ部材の取り付け位置が可変であることを特徴とするボード昇降装置。
【請求項２】
前記下方延出部材は、所定の間隔で形成された複数の孔部を有し、
前記ストッパ部材は、前記孔部に挿通可能な挿通部を有することを特徴とする請求項１に記載のボード昇降装置。
【請求項３】
前記複数の前記孔部は、
上下方向に並ぶ第１孔部と、
前記下方延出部材の軸に対して前記第１孔部から所定角度ずれた位置において、上下方向に並ぶ第２孔部と、を有し、
前記第１孔部と前記第２孔部は上下方向にずれていることを特徴とする請求項２に記載のボード昇降装置。
【請求項４】
前記ストッパ部材は、前記下方延出部材を締め付けて、前記ストッパ部材の前記下方延出部材に対する位置を固定するクランプ部を有することを特徴とする請求項１乃至３のいずれかに記載のボード昇降装置。
【請求項５】
前記下方延出部材の下端に取り付けられ、前記ストッパ部材の脱落を防止する脱落防止部材を備えることを特徴とする請求項１乃至４のいずれかに記載のボード昇降装置。
【請求項６】
シリンダケースと、
前記シリンダケースの内側に設けられ、前記シリンダケース内の空気圧に応じて前記シリンダケースから上方にスライドする下段ピストンと、
前記下段ピストンの内側に設けられ、前記シリンダケース内の空気圧に応じて前記下段ピストンから更に上方にスライドする上段ピストンと、を具備するエアシリンダユニットと、
前記上段ピストンに固定される第１ブラケットと、
前記下段ピストンに固定され、前記第１ブラケットよりも下方に設けられる第２ブラケットと、を備え、
前記可動部が、前記上段ピストンと前記第１ブラケットを含み、
前記第２ブラケットは、前記下方延出部材が挿通され、前記下方延出部材の延出方向をガイドするガイド孔を有し、
前記規制部材は、前記第２ブラケットの下面よりも下方に突出していることを特徴とする請求項１乃至５のいずれかに記載のボード昇降装置。
【請求項７】
前記エアシリンダユニットを支持するスタンドフレームと、
前記スタンドフレームの下端に取り付けられたキャスターと、を有し、
前記下方延出部材は、前記可動部を挟む位置に複数設けられることを特徴とする請求項６に記載のボード昇降装置。
【請求項８】
前記保持部は、
前記ボードの第１方向に延出し、前記ボードを支持する第１支持部と、
前記ボードの前記第１方向と垂直の第２方向に延出し、前記ボードを支持する第２支持部と、を有することを特徴とする請求項１乃至７のいずれかに記載のボード昇降装置。
【請求項９】
前記第１支持部は、前記ボードの前記第１方向の端部に係止される第１係止部を有し、
前記第２支持部は、前記ボードの前記第２方向の端部に係止される第２係止部を有することを特徴とする請求項８に記載のボード昇降装置。
【請求項１０】
前記第１係止部と前記第２係止部はそれぞれ、前記ボードの厚み方向に突出する長さが可変であることを特徴とする請求項９に記載のボード昇降装置。
【発明の詳細な説明】
【技術分野】
【０００１】
本発明は、ボード昇降装置に係り、特にボードを持ち上げる高さを調整可能なボード昇降装置に関する。
【背景技術】
【０００２】
住宅等の天井は、天井パネル等の下地材に対して石膏ボード等の天井ボードを取り付けることで構成される。一般的には、こうした天井ボードの取り付けは、作業員が脚立に上り天井ボードを支持しながら天井パネルに天井ボードをビス止めすることにより行われている。
【０００３】
しかしながら、上記の天井ボードの取り付け作業は作業員の負荷が大きいため、天井ボードの取り付け作業の負荷を軽減させる提案が各種なされている。例えば下記の特許文献１には、天井ボードを天井の下地材に向けた状態で支持し、チェーンブロックを操作することで天井ボードを天井下地に向けて持ち上げることが可能なボード昇降装置が開示されている。
また、エアコンプレッサ等の電動機械を用いて天井ボードを持ち上げることで、作業員の負荷を低減することも提案されている。
【先行技術文献】
【特許文献】
【０００４】
【特許文献１】特開平０９−３２８８９５号公報
【発明の概要】
【発明が解決しようとする課題】
【０００５】
ところで、エアコンプレッサ等の電動機械により天井ボードを持ち上げた場合には、天井ボードが天井の下地材に強く押し付けられることがある。こうした場合には、天井ボードを天井の下地材に対して水平方向に移動させることが困難であり、無理に移動させようとすると、天井ボードやボード昇降装置自体を破損してしまうことがある。
そのため、天井ボードを天井の下地材に対して適切な高さに調整する必要があるが、天井ボードの持ち上げ高さを電動機械の操作により細かく調整することは困難である。
【０００６】
本発明は上記の課題に鑑みてなされたものであって、その目的は、ボードを持ち上げる高さを簡易に調整することができるボード昇降装置を提供することにある。
【課題を解決するための手段】
【０００７】
上記課題は、本発明に係るボード昇降装置によれば、ボードを保持する保持部と、前記保持部を支持し、上下方向に移動可能な可動部と、前記可動部から下方に延出する下方延出部材と、前記下方延出部材に取り付けられるストッパ部材と、前記ストッパ部材の上方に設けられる規制部材と、を備え、前記規制部材は、前記下方延出部材の上端と前記ストッパ部材との間に配され、前記可動部と共に移動する前記ストッパ部材に当接することで前記可動部の上方への移動を規制し、前記下方延出部材に対する前記ストッパ部材の取り付け位置が可変であることにより解決される。
【０００８】
上記のボード昇降装置によれば、ボードを持ち上げる高さを簡易に調整することができる。これにより、例えばボードを天井面に向けて持ち上げる際に、ボードが天井の下地材に衝突したり、強く押し当てられたりすることを防止できる。
また、ボードが天井の下地材に強く押し当てられることを防止できるため、ボードを持ち上げた状態でボードを水平方向に移動させやすくなる。これにより、ボードの取り付け位置を調整しやすくなる。
【０００９】
上記のボード昇降装置において、前記下方延出部材は、所定の間隔で形成された複数の孔部を有し、前記ストッパ部材は、前記孔部に挿通可能な挿通部を有するとよい。
こうすることで、ボードを持ち上げる高さの規制位置を所定の間隔で設定しやすくなる。
【００１０】
上記のボード昇降装置において、前記複数の前記孔部は、上下方向に並ぶ第１孔部と、前記下方延出部材の軸に対して前記第１孔部から所定角度ずれた位置において、上下方向に並ぶ第２孔部と、を有し、前記第１孔部と前記第２孔部は上下方向にずれているとよい。
こうすることで、ボードを持ち上げる高さの規制位置をより細かい間隔で設定しやすくなる。
【００１１】
上記のボード昇降装置において、前記ストッパ部材は、前記下方延出部材を締め付けて、前記ストッパ部材の前記下方延出部材に対する位置を固定するクランプ部を有するとよい。
こうすることで、ボードを持ち上げる高さの規制位置を任意に設定可能となる。
【００１２】
上記のボード昇降装置において、前記下方延出部材の下端に取り付けられ、前記ストッパ部材の脱落を防止する脱落防止部材を備えるとよい。
こうすることで、ストッパ部材が下方延出部材から脱落してしまうことを防止できる。
これにより、たとえストッパ部材の固定が外れた場合にも、ストッパ部材は脱落防止部材により支持されるため、可動部の上方への移動を制限することができる。
また、ストッパ部材が下方延出部材から脱落しないため、ストッパ部材の紛失を防止できる。
【００１３】
上記のボード昇降装置において、シリンダケースと、前記シリンダケースの内側に設けられ、前記シリンダケース内の空気圧に応じて前記シリンダケースから上方にスライドする下段ピストンと、前記下段ピストンの内側に設けられ、前記シリンダケース内の空気圧に応じて前記下段ピストンから更に上方にスライドする上段ピストンと、を具備するエアシリンダユニットと、前記上段ピストンに固定される第１ブラケットと、前記下段ピストンに固定され、前記第１ブラケットよりも下方に設けられる第２ブラケットと、を備え、前記可動部が、前記上段ピストンと前記第１ブラケットを含み、前記第２ブラケットは、前記下方延出部材が挿通され、前記下方延出部材の延出方向をガイドするガイド孔を有し、前記規制部材は、前記第２ブラケットの下面よりも下方に突出しているとよい。
こうすることで、空気圧を利用してボードを持ち上げる際に、ボードの持ち上げ高さを容易に調整できる。
また、空気圧を利用する機構のためボード昇降装置を軽量化できる。
【００１４】
上記のボード昇降装置において、前記エアシリンダユニットを支持するスタンドフレームと、前記スタンドフレームの下端に取り付けられたキャスターと、を有し、前記下方延出部材は、前記可動部を挟む位置に複数設けられるとよい。
こうすることで、ボード昇降装置を移動させる際に、複数の下方延出部材を両手で掴むことができる。これにより、ボードを持ち上げた状態のまま、ボード昇降装置を安定移動させやすくなる。
【００１５】
上記のボード昇降装置において、前記保持部は、前記ボードの第１方向に延出し、前記ボードを支持する第１支持部と、前記ボードの前記第１方向と垂直の第２方向に延出し、前記ボードを支持する第２支持部と、を有するとよい。
こうすることで、ボードの広い範囲を保持部により支持することができる。これにより、ボードを保持した状態におけるボードの撓みを抑制できる。
【００１６】
上記のボード昇降装置において、前記第１支持部は、前記ボードの前記第１方向の端部に係止される第１係止部を有し、前記第２支持部は、前記ボードの前記第２方向の端部に係止される第２係止部を有するとよい。
こうすることで、ボード昇降装置を押して移動した際にボードが保持部から外れることを抑制できる。これにより、ボードを持ち上げた状態で、ボードを水平方向に位置調整しやすくなる。
【００１７】
上記のボード昇降装置において、前記第１係止部と前記第２係止部はそれぞれ、前記ボードの厚み方向に突出する長さが可変であるとよい。
こうすることで、異なる厚みのボードに対しても保持部による安定した保持が可能となる。
【発明の効果】
【００１８】
本発明によれば、ボードを持ち上げる高さを簡易に調整することができる。
【図面の簡単な説明】
【００１９】
【図１】本実施形態に係るボード昇降装置の全体構成を示す図である。
【図２】保持部と昇降機構部の連結部分を拡大して示す図である。
【図３】下方延出部材の下端部の構成を示す図である。
【図４】下方延出部材の孔部にストッパ部材を取り付けた状態を示す図である。
【図５】下方延出部材の孔部以外の箇所にストッパ部材を取り付けた状態を示す図である。
【図６】ボード昇降装置によりボードを天井パネル側に持ち上げた状態を示す図である。
【図７】規制部材とストッパ部材が当接した状態を示す図である。
【図８】保持部がボードを保持した状態で移動可能な方向を示す図である。
【図９】保持部がボードの端部を係止する第１係止部（第２係止部）の構成を示す図である。
【図１０】保持部の第２支持部の構成部品を示す図である。
【図１１】幅が短いボードに対応させたボード昇降装置の構成を示す図である。
【発明を実施するための形態】
【００２０】
以下、図１乃至図１１を参照しながら、本発明の実施の形態（以下、本実施形態）に係るボード昇降装置１について説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれる。
【００２１】
＜ボード昇降装置１の構成＞
本実施形態に係るボード昇降装置１は、石膏ボード等の天井ボードを、天井パネル等の天井の下地材に取り付ける際に用いられるものである。具体的には、ボード昇降装置１は、天井ボードの面を天井の下地材に対向させながら、天井の下地材に向けて持ち上げる装置である。また、ボード昇降装置１は、天井ボードを持ち上げる高さを調整するための機構を有している。
以下、図１乃至図１１を参照しながら、ボード昇降装置１の構成の詳細について説明する。
【００２２】
図１に示されるように、ボード昇降装置１は、主要な構成として、保持部１０、昇降機構部２０、及び脚部６０を有する。
保持部１０は、ボード２を保持する機構である。ボード２は例えば石膏ボードであり、上面及び下面が矩形形状である。一例としては、ボード２の長辺部２Ａと短辺部２Ｂの長さはそれぞれ１８２０ｍｍ、９１０ｍｍである。
昇降機構部２０は、保持部１０を上下方向に移動させる機構である。
脚部６０は、昇降機構部２０を支持する機構である。
具体的には、脚部６０は、昇降機構部２０の下端に固定されるスタンドフレーム６２と、スタンドフレーム６２の下端に設けられたキャスター６１を有する。こうして、脚部６０は、昇降機構部２０を支持するとともに、床面に対してボード昇降装置１を移動させることが可能となる。
以下、保持部１０と昇降機構部２０の構成の詳細について説明する。
【００２３】
＜＜保持部１０＞＞
図１に示されるように、保持部１０は、主要な構成として、第１支持部１１及び第２支持部１２を有する。
第１支持部１１は、ボード２の第１方向に延出し、ボード２を支持する。なお、上記の「ボード２の第１方向」とは、例えばボード２の短辺部２Ｂと平行な方向である。換言すれば、上記の「ボード２の第１方向」とは、ボード２の短手方向に相当する。
【００２４】
第２支持部１２は、ボード２の第１方向と垂直の第２方向に延出し、ボード２を支持する。なお、上記の「ボード２の第２方向」とは、例えばボード２の長辺部２Ａと平行な方向である。換言すれば、上記の「ボード２の第２方向」とは、ボード２の長手方向に相当する。
以下、第１支持部１１と第２支持部１２の構成について具体的に説明する。
【００２５】
＜＜＜第１支持部１１＞＞＞
まず、第１支持部１１の構成について説明する。
第１支持部１１は、第１Ｕ字部品１８と第２Ｕ字部品１９を有する。そして、第１Ｕ字部品１８と第２Ｕ字部品１９とは、互いの湾曲部を対向させた状態で固定される。
また、第１Ｕ字部品１８の中央部から延びる左右のアームは、ボード２の一方の長辺部２Ａに向けて（すなわち短手方向に）延出している。
同様に、第２Ｕ字部品１９の中央部から延びる左右のアームは、ボード２の他方の長辺部２Ａに向けて（すなわち短手方向であって、第１Ｕ字部品１８のアームとは反対方向に）延出している。
【００２６】
なお、第２Ｕ字部品１９のアームの両端部には、ボード２の長辺部２Ａに係止される第１係止部１１Ａが設けられている。
図９に示されるように、第１係止部１１Ａは、ボード２の厚み方向に突出した突出部１１Ａａと、突出部１１Ａａの少なくとも一部を収容する収容部１１Ａｂを有する。なお、突出部１１Ａａを収容部１１Ａｂに対して押し込むことで、収容部１１Ａｂからの突出部１１Ａａの突出長さを調整することができる。これにより、厚みが異なるボード２に対しても、突出部１１Ａａの長さを合わせることができる。そのため、厚みが異なるボード２に対しても、そのボード２の長辺部２Ａを安定的に支持することが可能となる。
【００２７】
また、図２に示されるように、保持部１０と昇降機構部２０とは、連結部７０を介して連結している。ここで、連結部７０は、保持部１０に固定される第１連結部７１と、昇降機構部２０に固定される第２連結部７２とを有する。そして、第１連結部７１と第２連結部７２は軸部材を介して回動可能に取り付けられる。こうして保持部１０は、昇降機構部２０に対して図１に示すような傾斜した状態から、ボード２の面が水平となる状態まで回動可能となる。
【００２８】
なお、保持部１０に対してボード２を配置する場合には、保持部１０を傾けた状態で、すなわち第１Ｕ字部品１８に対して第２Ｕ字部品１９が下方となるように傾けた状態でボード２を第１係止部１１Ａの上に配置する。これにより、ボード２の下端側の長辺部２Ａを第１係止部１１Ａにより支持することが可能となる。
【００２９】
また、第１Ｕ字部品１８のアームの端部には、ラバー等の摩擦係数が大きい材料により構成されたカバー部材１７Ａが取り付けられる。同様に、第２Ｕ字部品１９の第１係止部１１Ａの近傍にもカバー部材１７Ｂが取り付けられる。
以上の構成により、第１支持部１１とボード２との摩擦力を大きくし、第１支持部１１に対してボード２が滑り難くなるようにしている。
【００３０】
＜＜＜第２支持部１２＞＞＞
次に、第２支持部１２の構成について説明する。
第２支持部１２は、主要な構成として、ベース部品１３と、ベース部品１３に取り付けられる第１係止部品１４と、支持部品１６と、を有する。
【００３１】
ベース部品１３は、第１支持部１１の第１Ｕ字部品１８及び第２Ｕ字部品１９の間に配され、第１Ｕ字部品１８及び第２Ｕ字部品１９と一体として固定される。具体的には、ベース部品１３は棒状の角パイプであり、両端に第１係止部品１４及び支持部品１６と連結するためのコネクタ部が形成される。
【００３２】
図１及び図１０に示されるように、第１係止部品１４は、一端側にベース部品１３と連結可能なコネクタ部１４Ａを有し、他端側に第２係止部１２Ａを有する。
本実施形態では、第２係止部１２Ａは、ボード２の短辺部２Ｂに係止される。具体的には、図９に示されるように、第２係止部１２Ａは、ボード２の厚み方向に突出した突出部１２Ａａと、突出部１２Ａａの少なくとも一部を収容する収容部１２Ａｂを有する。なお、突出部１２Ａａを収容部１２Ａｂに対して押し込むことで、収容部１２Ａｂからの突出部１２Ａａの突出長さを調整することができる。これにより、厚みが異なるボード２に対しても、突出部１２Ａａの長さを合わせることができる。そのため、厚みが異なるボード２に対しても、そのボード２の短辺部２Ｂを安定的に支持することが可能となる。
【００３３】
また、図１及び図１０に示されるように、支持部品１６は、一端側にベース部品１３と連結可能なコネクタ１６Ａを有し、他端側にカバー部材１７Ａが取り付けられている。このように、支持部品１６の端部にカバー部材１７Ａを取り付けることで、第２支持部１２とボード２との摩擦力を大きくし、第２支持部１２に対してボード２が滑り難くすることができる。
【００３４】
＜＜昇降機構部２０＞＞
次に、昇降機構部２０の構成について説明する。
図１に示されるように、昇降機構部２０は、主要な構成として、エアシリンダユニット２１、第１ブラケット２５、第２ブラケット２６、下方延出部材３０、ストッパ部材４０及び規制部材５０を備える。
【００３５】
＜＜＜エアシリンダユニット２１＞＞＞
エアシリンダユニット２１は、ホース５を通じて接続されるエアコンプレッサ４から供給される圧縮空気のエネルギーを上下方向の移動に変換する装置である。
具体的には、図６に示されるように、エアシリンダユニット２１は、主要な構成としてシリンダケース２２、下段ピストン２３及び上段ピストン２４を備える。
【００３６】
シリンダケース２２は、上下にピストン運動を行う下段ピストン２３及び上段ピストン２４を収容する。なお、シリンダケース２２は、脚部６０に対して固定されている。
また、図２に示されるように、シリンダケース２２には複数の金属製のワイヤー部材等の保護部材２７が設けられており、これにより、エアシリンダユニット２１を外部部材との衝突から保護するようにしている。
【００３７】
下段ピストン２３は、シリンダケース２２の内側に設けられ、シリンダケース２２内の空気圧の高まりに応じてシリンダケース２２から上方にスライドする可動部材である。換言すれば、下段ピストン２３は、シリンダケース２２から上方に移動可能な第１段目のピストンである。
【００３８】
上段ピストン２４は、下段ピストン２３の内側に設けられ、シリンダケース２２内の空気圧の高まりに応じて下段ピストン２３から更に上方にスライドする可動部材である。換言すれば、上段ピストン２４は、下段ピストン２３から更に上方に移動可能な第２段目のピストンである。すなわち、下段ピストン２３の移動の上限位置よりも、上段ピストン２４の移動の上限位置は高い。
【００３９】
なお、図２に示されるように、上段ピストン２４の上端は、連結部７０の第２連結部７２に取り付けられている。これにより、上段ピストン２４の上下動に追従して、保持部１０も上下動するようになっている。そして、上段ピストン２４が上限位置に達した際の保持部１０の位置が、ボード昇降装置１によるボード２の持ち上げ位置の上限に相当することとなる。
【００４０】
なお、エアコンプレッサ４からエアシリンダユニット２１への圧縮空気の流入と、空気の開放との指示は、ホース５に接続された操作部６を通じて実行可能である。具体的には、操作部６の上昇ボタン６Ａが押下された場合には、エアコンプレッサ４からエアシリンダユニット２１に向けて圧縮空気が流入する。これにより、下段ピストン２３及び上段ピストン２４が押し上げられる。
【００４１】
なお、エアシリンダユニット２１への圧縮空気の流入量に応じて、すなわち操作部６の操作に応じて、上段ピストン２４の移動高さの調整が可能である。しかしながら、操作部６による操作では、上段ピストン２４の移動高さを数ミリ単位で調整することは困難である。
【００４２】
また、操作部６の下降ボタン６Ｂが押下された場合には、エアシリンダユニット２１の弁を開放することで、エアシリンダユニット２１から空気が抜けるようになる。こうすると、保持部１０、下段ピストン２３及び上段ピストン２４の重さによりエアシリンダユニット２１から空気が抜け、下段ピストン２３及び上段ピストン２４が元の位置、すなわち下方に移動することとなる。
【００４３】
＜＜＜第１ブラケット２５＞＞＞
そして、第１ブラケット２５は、上段ピストン２４に下方延出部材３０を取り付けるための取付部材である。なお、第１ブラケット２５は、上段ピストン２４に固定され、上段ピストン２４と一体的に移動する。なお、本実施形態では、昇降機構部２０において、上段ピストン２４に固定され、上段ピストン２４と一体的に移動する部分を可動部Ｍとする。具体的には、本実施形態では、可動部Ｍは上段ピストン２４と第１ブラケット２５を含む。
【００４４】
図２に示されるように、第１ブラケット２５には、両端の取付部２５Ａにおいて第１ブラケット２５から下方に延出する下方延出部材３０が取り付けられている。下方延出部材３０は、例えば金属製の棒状部材（パイプ等）である。
また、第１ブラケット２５の中央部（すなわち両端の取付部２５Ａの中間部）には、開口部２５Ｂが形成されている。開口部２５Ｂには、上段ピストン２４が上下に貫通しており、開口部２５Ｂを通じて上段ピストン２４の上端部が第２連結部７２に連結されている。
【００４５】
＜＜＜第２ブラケット２６＞＞＞
そして、第２ブラケット２６は、下方延出部材３０の延出方向をガイドするとともに、規制部材５０を取り付けるための取付部材である。なお、第２ブラケット２６は、下段ピストン２３に固定され、下段ピストン２３と一体的に移動する。
【００４６】
図２に示されるように、第２ブラケット２６の両端には、下方延出部材３０の延出方向（鉛直下方向）を案内するガイド孔２６Ａが形成されている。すなわち、ガイド孔２６Ａは、第１ブラケット２５の取付部２５Ａの鉛直下に設けられており、下方延出部材３０はガイド孔２６Ａに通されることで、取付部２５Ａから鉛直下方に延出することとなる。
また、図２に示されるように、ガイド孔２６Ａには、規制部材５０が上下に挿通した状態で取り付けられる。
【００４７】
＜＜＜規制部材５０＞＞＞
規制部材５０は、筒状部５０Ａとフランジ部５０Ｂとを有し、筒状部５０Ａとフランジ部５０Ｂとの中心部が上下方向に貫通している。そして、筒状部５０Ａを下、フランジ部５０Ｂを上にした状態で、ガイド孔２６Ａに通され、ボルト等の締結具を用いてフランジ部５０Ｂが第２ブラケット２６に固定される。
以上のように規制部材５０を第２ブラケット２６に取り付けることで、規制部材５０の筒状部５０Ａは、第２ブラケット２６の下面よりも下方側に突出することとなる。
【００４８】
また、第２ブラケット２６の中央部（すなわち両端のガイド孔２６Ａの中間部）には、開口部２６Ｂが形成される。この開口部２６Ｂは、開口部２５Ｂと対向する位置に設けられており、開口部２６Ｂには、上段ピストン２４と下段ピストン２３が上下に貫通している。
【００４９】
＜＜＜下方延出部材３０＞＞＞
また、下方延出部材３０は、上述したように、第１ブラケット２５に取り付けられ、第１ブラケット２５から下方に延出する円柱形のパイプである。そして、図６に示されるように、下方延出部材３０の上下方向の長さは、上段ピストン２４よりも長くなっている。
【００５０】
ここで図３を参照しながら、下方延出部材３０の下端部の構成について説明する。
下方延出部材３０には、上下方向に並ぶ複数の孔部３１が形成されている。ここで、上下方向に並ぶ第１孔部３１Ａと、上下方向に並ぶ第２孔部３１Ｂとは、下方延出部材３０の中心軸に対し、所定角度ずれた位置に形成される。一例として、本実施形態では、上記の所定角度を９０度とするが、それ以外の角度であってもよい。
【００５１】
そして、第１孔部３１Ａと第２孔部３１Ｂとは、互いの上下方向の位置がずれている。
具体的には、上下の第１孔部３１Ａの間隔を１０ｍｍ、上下の第２孔部３１Ｂの間隔を１０ｍｍとし、互いの最上部の第１孔部３１Ａと第２孔部３１Ｂとの上下位置のずれを５ｍｍとすると、複数の孔部３１は上下方向に５ｍｍ間隔で形成されることとなる。
このように、孔部３１を軸に対してずらして形成することにより、下方延出部材３０の強度低下を抑制するとともに、孔部３１の位置を確認しやすくすることができる。
【００５２】
また、下方延出部材３０の表面には、所定の間隔で上下方向に並ぶ印部３２が形成される。この印部３２は例えば５ｍｍ間隔で形成することとし、これにより、印部３２を、後述するストッパ部材４０の取り付け位置の目安に用いることができる。
【００５３】
そして、図４及び図５に示されるように、左右の下方延出部材３０のそれぞれには、ストッパ部材４０が取り付けられる。なお、下方延出部材３０に対するストッパ部材４０の取り付け位置は可変となっている。
【００５４】
＜＜＜ストッパ部材４０＞＞＞
ここで図４及び図５を参照しながら、ストッパ部材４０の構成について説明する。
図４及び図５に示されるように、ストッパ部材４０は、主要な構成として、筒状部４１、プランジャ部４２及びクランプ部４３を有する。
【００５５】
筒状部４１は、中心部に上下方向に貫通する貫通孔が形成され、その貫通孔に下方延出部材３０が通される。なお、下方延出部材３０に対しては、ストッパ部材４０を通した後に、下端に球形状の脱落防止部材４５を取り付けるようにする。
このように下方延出部材３０の下端に脱落防止部材４５を取り付けることにより、ストッパ部材４０の下方延出部材３０からの脱落を防止できるとともに、下方延出部材３０の下端部を作業者が握りやすくなる。
【００５６】
また、筒状部４１には、プランジャ部４２が取り付けられる。プランジャ部４２は、操作部４２Ａと挿通部４２Ｂを有する。
具体的には、プランジャ部４２の挿通部４２Ｂは柱体であり、筒状部４１の側面に形成された貫通孔に通されるとともに、バネ等の付勢部材により下方延出部材３０に向けて付勢されている。これにより、例えば図４に示されるように、挿通部４２Ｂが下方延出部材３０の孔部３１と対向する位置にある場合には、挿通部４２Ｂが孔部３１に挿通される。これにより、ストッパ部材４０の下方延出部材３０に対する位置が固定される。
このように、プランジャ部４２による固定は、下方延出部材３０に形成された孔部３１の部分で行うことができるため、孔部３１が形成された間隔でストッパ部材４０の位置を固定することができる。
なお、操作部４２Ａを外側に引っ張ることにより、挿通部４２Ｂを孔部３１から引き抜いて、プランジャ部４２によるストッパ部材４０の下方延出部材３０に対する固定を解除することができる。
【００５７】
また、図４及び図５に示されるように、ストッパ部材４０には、クランプ部４３が設けられる。クランプ部４３は、ハンドル４３Ａと、ネジ部４３Ｂを有する。ネジ部４３Ｂは、筒状部４１に形成されたネジ穴４１Ｂに螺合している。そして、ハンドル４３Ａは、ネジ部４３Ｂを軸周りに回転させるための操作部である。
【００５８】
ここで、筒状部４１には、上下方向にスリット４１Ａが形成されており、ハンドル４３Ａを時計回りに回すと、ネジ部４３Ｂによる締結力が高まってスリット４１Ａの間隔が狭くなる。このようにして、筒状部４１が下方延出部材３０を締め付けることで、筒状部４１の下方延出部材３０に対する位置が固定される。
なお、図５に示されるように、クランプ部４３による固定は、下方延出部材３０において孔部３１の形成されていない箇所においても行うことができる。すなわち、クランプ部４３を用いることで、ストッパ部材４０を下方延出部材３０の任意の位置に固定することができる。
【００５９】
以上の通り、下方延出部材３０の上方側に規制部材５０が設けられ、下方側にはストッパ部材４０が設けられる。すなわち、規制部材５０は、下方延出部材３０の上端とストッパ部材４０との間に配されている。そして、図６及び図７に示されるように、操作部６の上昇ボタン６Ａが押下されると、下段ピストン２３と共に移動する規制部材５０は、下段ピストン２３の停止と同時に停止するのに対し、上段ピストン２４と共に移動するストッパ部材４０は、上方への移動を継続し、最終的に規制部材５０と当接することとなる。これにより、上段ピストン２４とストッパ部材４０、すなわち可動部Ｍの上方への移動が規制される。
すなわち、ボード昇降装置１では、下方延出部材３０に対するストッパ部材４０の取り付け位置に応じて、可動部Ｍの上方への移動範囲が規制されることで、ボード２の上方への持ち上げ高さが定まることとなる。
【００６０】
＜ボード昇降装置１を用いたボード２の取り付け作業についての説明＞
次に、ボード昇降装置１を用いたボード２の天井パネル７への取り付け作業の概要について説明する。
まず、作業員は、ボード昇降装置１の下方延出部材３０に対してストッパ部材４０を取り付ける。例えば、天井高よりも僅かに低い位置に対応する孔部３１にプランジャ部４２の挿通部４２Ｂを差し込むことでストッパ部材４０を取り付けることとする。
【００６１】
次に、図１に示されるように、ボード２を保持部１０に設置する。この際、第２係止部１２Ａによりボード２の短辺部２Ｂが係止されるように、ボード２の位置を調整する。
【００６２】
次に、保持部１０を傾動させて、ボード２の面を上向きにし、操作部６の上昇ボタン６Ａを押下して、ボード２を持ち上げる。この際、図６に示されるように、ストッパ部材４０が規制部材５０に当接することにより、可動部Ｍの上方への移動が規制される。すなわち、ストッパ部材４０の取り付け位置に対応する高さで、ボード２の上昇が停止する。
【００６３】
次に、ボード２と天井パネル７との隙間を確認した上で、隙間に応じてストッパ部材４０の位置を調整し、再び上昇ボタン６Ａを押下してボード２を持ち上げる。このストッパ部材４０の位置調整、ボード２の持ち上げ、ボード２と天井パネル７の隙間の確認という作業を繰り返して、ボード２の高さが適切な位置となるように、ストッパ部材４０の位置を調整する。
【００６４】
そして、以上の作業によりストッパ部材４０の位置を確定した後に、確定した高さにボード２持ち上げた状態で、ボード昇降装置１を水平方向に移動させて、ボード２を天井パネル７に対する取り付け位置に移動させる。この際、図６に示されるように、エアシリンダユニット２１の左右に配される下方延出部材３０を掴むことで、ボード昇降装置１を安定移動させやすくなる。
【００６５】
また、図８に示されるように、ボード２は、第１係止部１１Ａと第２係止部１２Ａにより長辺部２Ａと短辺部２Ｂの二辺において支持されているため、保持部１０により保持しているボード２が他の部材（例えば既に取り付けられた他のボード）と当接した場合にも、保持部１０からボード２の位置がずれることを抑制できる。そのため、ボード昇降装置１によれば持ち上げたボード２を取り付け位置に合わせることが容易となる。
そして、取り付け位置にボード２を配置した後には、ボード２に対して下方からビスを打込むことにより天井パネル７に対してボード２を固定する。
【００６６】
また、以上の作業において、下方延出部材３０へのストッパ部材４０の取り付け位置を一旦確定した後には、ストッパ部材４０の位置調整は不要となる。そのため、二回目以降のボード２の持ち上げにおいては、ストッパ部材４０と規制部材５０によりボード２の上昇が停止する位置までボード２を持ち上げればよく、ボード２の高さの微調整を行う必要がない。そのため、ボード昇降装置１によれば、ボード２の持ち上げ高さの調整が容易となる。
【００６７】
また、ボード昇降装置１は、各種のボードサイズにも対応可能である。例えば、図１０に示される第１係止部品１４に代えて第２係止部品１５に付け替えるとともに、支持部品１６をベース部品１３から取り外すことで、図１１に示すように短いサイズのボード３に対応することができる。一例としては、ボード３は一辺の長さが９１０ｍｍの正方形状のボードとする。
なお、短いサイズのボード３に対する取り付け作業及びボード昇降装置１の駆動は、長いサイズのボード２のときと同一であるため説明は省略する。
【００６８】
＜まとめ＞
以上説明した本実施形態に係るボード昇降装置１の主な特徴は以下の通りである。
［１］ボード昇降装置１は、ボード２を保持する保持部１０と、保持部１０を支持し、上下方向に移動可能な可動部Ｍと、可動部Ｍから下方に延出する下方延出部材３０と、下方延出部材３０に取り付けられるストッパ部材４０と、ストッパ部材４０の上方に設けられる規制部材５０と、を備える。規制部材５０は、下方延出部材３０の上端とストッパ部材４０との間に配され、可動部Ｍと共に移動するストッパ部材４０に当接することで可動部Ｍの上方への移動を規制する。そして、下方延出部材３０に対するストッパ部材４０の取り付け位置が可変である。
上記のボード昇降装置１によれば、ボード２を持ち上げる高さを簡易に調整することができる。これにより、例えばボード２を天井面に向けて持ち上げる際に、ボード２が天井の下地材（天井パネル７）に衝突したり、強く押し当てられたりすることを防止できる。
また、ボード２が天井の下地材に強く押し当てられることを防止できるため、ボード２を持ち上げた状態でボード２を水平方向に移動させやすくなる。これにより、ボード２の取り付け位置を調整しやすくなる。
【００６９】
［２］上記のボード昇降装置１において、下方延出部材３０は、所定の間隔で形成された複数の孔部３１を有し、ストッパ部材４０は、孔部３１に挿通可能な挿通部４２Ｂを有する。
こうすることで、ボード２を持ち上げる高さの規制位置を所定の間隔で設定しやすくなる。
【００７０】
［３］上記のボード昇降装置１において、複数の孔部３１は、上下方向に並ぶ第１孔部３１Ａと、下方延出部材３０の軸に対して第１孔部３１Ａから所定角度ずれた位置において、上下方向に並ぶ第２孔部３１Ｂと、を有し、第１孔部３１Ａと第２孔部３１Ｂは上下方向にずれている。
こうすることで、ボード２を持ち上げる高さの規制位置をより細かい間隔で設定しやすくなる。
【００７１】
［４］上記のボード昇降装置１において、ストッパ部材４０は、下方延出部材３０を締め付けて、ストッパ部材４０の下方延出部材３０に対する位置を固定するクランプ部４３を有する。
こうすることで、ボード２を持ち上げる高さの規制位置を任意に設定可能となる。
【００７２】
［５］上記のボード昇降装置１において、下方延出部材３０の下端に取り付けられ、ストッパ部材４０の脱落を防止する脱落防止部材４５を備える。
こうすることで、ストッパ部材４０が下方延出部材３０から脱落してしまうことを防止できる。
これにより、たとえストッパ部材４０の固定が外れた場合にも、ストッパ部材４０は脱落防止部材４５により支持されるため、可動部Ｍの上方への移動を制限することができる。
また、ストッパ部材４０が下方延出部材３０から脱落しないため、ストッパ部材４０の紛失を防止できる。
【００７３】
［６］上記のボード昇降装置１において、シリンダケース２２と、シリンダケース２２の内側に設けられ、シリンダケース２２内の空気圧に応じてシリンダケース２２から上方にスライドする下段ピストン２３と、下段ピストン２３の内側に設けられ、シリンダケース２２内の空気圧に応じて下段ピストン２３から更に上方にスライドする上段ピストン２４と、を具備するエアシリンダユニット２１と、上段ピストン２４に固定される第１ブラケット２５と、下段ピストン２３に固定され、第１ブラケット２５よりも下方に設けられる第２ブラケット２６と、を備える。可動部Ｍが、上段ピストン２４と第１ブラケット２５を含み、第２ブラケット２６は、下方延出部材３０が挿通され、下方延出部材３０の延出方向をガイドするガイド孔２６Ａを有する。規制部材５０は、第２ブラケット２６の下面よりも下方に突出している。
こうすることで、空気圧を利用してボード２を持ち上げる際に、ボード２の持ち上げ高さを容易に調整できる。
また、空気圧を利用する機構によりボード昇降装置１を軽量化できる。
【００７４】
［７］上記のボード昇降装置１において、エアシリンダユニット２１を支持するスタンドフレーム６２と、スタンドフレーム６２の下端に取り付けられたキャスター６１と、を有し、下方延出部材３０は、可動部Ｍを挟む位置に複数設けられる。
こうすることで、ボード昇降装置１を移動させる際に、複数の下方延出部材３０を両手で掴むことができる。これにより、ボード２を持ち上げた状態のまま、ボード昇降装置１を安定移動させやすくなる。
【００７５】
［８］上記のボード昇降装置１において、保持部１０は、ボード２の第１方向に延出し、ボード２を支持する第１支持部１１と、ボード２の第１方向と垂直の第２方向に延出し、ボードを支持する第２支持部１２と、を有する。
こうすることで、ボード２の広い範囲を保持部１０により支持することができる。これにより、ボード２を保持した状態におけるボード２の撓みを抑制できる。
【００７６】
［９］上記のボード昇降装置１において、第１支持部１１は、ボード２の第１方向の端部に係止される第１係止部１１Ａを有し、第２支持部１２は、ボード２の第２方向の端部に係止される第２係止部１２Ａを有する。
こうすることで、ボード昇降装置１を押して移動した際にボード２が保持部１０から外れることを抑制できる。これにより、ボード２を持ち上げた状態で、ボード２を水平方向に位置調整しやすくなる。
【００７７】
［１０］上記のボード昇降装置１において、第１係止部１１Ａと第２係止部１２Ａはそれぞれ、ボード２の厚み方向に突出する長さが可変である。
こうすることで、異なる厚みのボード２に対しても保持部１０による安定した保持が可能となる。
【００７８】
＜その他の実施形態＞
本発明は上記の実施形態に限定されるものではない。
例えば、下方延出部材３０への孔部３１の位置は、下方延出部材３０の下部に限られず、下方延出部材３０の中央部や上部にも設けてもよい。こうすることで、ボード２の持ち上げ位置を各種の天井高さに合わせやすくなる。
【００７９】
また、上記の実施形態では、下方延出部材３０を二つ設けることとしたが、下方延出部材３０の数は二つに限られない。例えば、下方延出部材３０は１つだけ設けてもよいし、３つ以上設けてもよい。
また、上記の実施形態では、保持部１０の昇降機構の動力源に圧縮エア（エアコンプレッサ４）を用いたが、昇降機構の動力源はモーター等を用いてもよい。
また、エアシリンダユニット２１は二段階のピストンにより構成されることとしたが、一段階や三段階以上のピストンにより構成されてもよい。
また、ボード昇降装置１は、石膏ボードに限られず、各種の板部材に対して使用することができる。
【符号の説明】
【００８０】
１  ボード昇降装置
２  ボード
２Ａ  長辺部
２Ｂ  短辺部
３  ボード
４  エアコンプレッサ
５  ホース
６  操作部
６Ａ  上昇ボタン
６Ｂ  下降ボタン
７  天井パネル
１０  保持部
１１  第１支持部
１１Ａ  第１係止部
１１Ａａ  突出部
１１Ａｂ  収容部
１２  第２支持部
１２Ａ  第２係止部
１２Ａａ  突出部
１２Ａｂ  収容部
１３  ベース部品
１４  第１係止部品
１４Ａ  コネクタ部
１５  第２係止部品
１５Ａ  コネクタ部
１６  支持部品
１６Ａ  コネクタ部
１７Ａ  カバー部材
１７Ｂ  カバー部材
１８  第１Ｕ字部品
１９  第２Ｕ字部品
２０  昇降機構部
２１  エアシリンダユニット
２２  シリンダケース
２３  下段ピストン
２４  上段ピストン
２５  第１ブラケット
２５Ａ  取付部
２５Ｂ  開口部
２６  第２ブラケット
２６Ａ  ガイド孔
２６Ｂ  開口部
２７  保護部材
３０  下方延出部材
３１  孔部
３１Ａ  第１孔部
３１Ｂ  第２孔部
３２  印部
４０  ストッパ部材
４１  筒状部
４１Ａ  スリット
４１Ｂ  ネジ穴
４２  プランジャ部
４２Ａ  操作部
４２Ｂ  挿通部
４３  クランプ部
４３Ａ  ハンドル
４３Ｂ  ネジ部
４５  脱落防止部材
５０  規制部材
５０Ａ  筒状部
５０Ｂ  フランジ部
６０  脚部
６１  キャスター
６２  スタンドフレーム
７０  連結部
７１  第１連結部
７２  第２連結部
Ｍ  可動部
【図１】
2019116722.tif 000003
【図２】
2019116722.tif 000004
【図３】
2019116722.tif 000005
【図４】
2019116722.tif 000006
【図５】
2019116722.tif 000007
【図６】
2019116722.tif 000008
【図７】
2019116722.tif 000009
【図８】
2019116722.tif 000010
【図９】
2019116722.tif 000011
【図１０】
2019116722.tif 000012
【図１１】
2019116722.tif 000013